(57)【特許請求の範囲】
【請求項１】
管接続用の受け口にパッキンを取付けるための構造であって、
前記受け口の口元をその内周側に小径となる方向の断面クランク形に形成して、該口元に外周側の段差部と内周側の段差部を設ける一方、前記パッキンに、外周側へ張り出して前記受け口の端面に当接させるフランジ部を設け、該フランジ部に、折返し方向に張り出して前記受け口の口元を挟み込む折返し部を設けて、前記受け口の外周側の段差部に前記パッキンの折返し部を嵌め込んで該折返し部の前記受け口の外周面からのはみ出しを抑制するとともに、前記受け口の内周側の段差部に当該パッキンを係合させてその抜け止めをする構成としたことを特徴とする管接続用パッキンの取付構造。
【請求項２】
請求項１記載の取付構造であって、前記外周側の段差部の深さを前記折返し部の肉厚に一致させ若しくは該肉厚よりも大きくして、該折返し部が前記受け口の外周面から少なくともはみ出さない構成としたことを特徴とする管接続用パッキンの取付構造。
【請求項３】
請求項１又は２に記載した取り付け構造であって、前記内周側の段差部に周方向一部の範囲で内周側に張り出すマクラ部を設け、該マクラ部を前記パッキンに係合させて該パッキンの前記受け口に対する周方向の位置決めをする構成とした管接続用パッキンの取付構造。
【発明の詳細な説明】
【０００１】
【発明の属する技術分野】
この発明は、例えば排水管や給水管等の管の接続部に適用されるパッキンの取付構造に関する。
【０００２】
【従来の技術】
例えば、高層建造物等における排水経路においては、排水立て管に各階の排水横枝管を接続するために、例えば図１１に示すような排水管継手５０が用いられる。この排水管継手５０には横枝管５１を接続するための受け口５２が設けられており、この受け口５２の内周側には図１２に示すように略円筒形状のパッキン５３が取付けられる。このパッキン５３の内周側に横枝管５１が挿入される。この種のパッキン５３に関して、本出願人は従来より様々な改良を加え、より付加価値の高いものを提供している（例えば、特願平９−６１１３１）。
例えば、図示するようにこの従来のパッキン５３は、装着後端側（図示左側）の端部に、その全周にわたって外周側に張り出すフランジ部５３ａと、このフランジ部５３ａの外周全周にわたって折返し方向に張り出す折返し部５３ｂを有している。このようなパッキン５３によれば、そのフランジ部５３ａを受け口５２の端面に当接させておくことにより横枝管５１の挿入時における当該パッキン５３の押込みを防止でき、又折返し部５３ｂにより受け口５２の口元５２ａを弾性的に挟み込んでおくことにより、管更新時等の横枝管５１を引き抜く際に当該パッキン５３が不用意に抜け出してしまうことを防止することができた。
【０００３】
【発明が解決しようとする課題】
しかしながら、この従来のパッキン５３にあってもなお改善すべき点があった。すなわち、上記従来のパッキン５３によれば、その装着状態において折返し部５３ｂがその肉厚ｔ分だけ受け口５２の外周面から側方へはみ出すため、この折返し部５３ｂがコンクリートスラブＣの上面に干渉しない範囲で該管継手５０の施工を行う必要があった。
ここで、図１１に示すように横枝管５１を床下配管する場合に、近年ではコンクリートスラブＣと床Ｆとの間の間隔が狭小化しつつあり、このため受け口５２は極力スラブ上面に近づけて（より低い位置に）当該管継手５０を施工する必要がある。このことから、上記したように受け口５２の外周からパッキン５３の折返し部５３ｂがはみ出していると、図１２に示すように当該折返し部５３ｂの肉厚ｔ分だけ受け口５２をスラブ上面から離間させる（より高い位置に施工する）必要があり、その結果横枝管５１に適度な勾配を付けることができなかったり、場合によってはその床下配管ができなくなる場合があった。
そこで、本発明は、従来のパッキンにおける折返し部の利点を損なうことなく、該折返し部に関する上記従来の問題を解決できるパッキンの取付構造を提供することを目的とする。
【０００４】
【課題を解決するための手段】
このため、本発明は前記各請求項に記載した構成の取り付け構造とした。
請求項１記載の取付構造によれば、折返し部が受け口の外周側の段差部に嵌め込まれて、該受け口の外周面からのはみ出しがその肉厚よりも小さく抑制されるので、受け口の芯高さに関する許容度が増し、これにより横枝管に十分な勾配を付けることができ、又配管ができなくなるといったトラブルを未然に回避することができる。
折返し部の受け口外周面からのはみ出しはないことが望ましく、このためには受け口段差部の深さを折返し部の肉厚と同じ若しくは大きい寸法に設定すればよい。又、折返し部のはみ出し量は必要に応じて抑制されれば足り、必ずしもゼロである必要はない。はみ出しを抑制するとは、折返し部の受け口外周からのはみ出し寸法がその肉厚よりも小さい状態とすることをいう。
また、内周側の段差部に対してパッキンが抜け方向に係合しているので、その不用意な抜け出しを一層確実に防止できる。
【０００５】
請求項２記載の取付構造によれば、上記作用効果に加えて、施工上の見栄えがよくなるとともに、配管施工時等において工具等の他物品がこの折返し部に引っ掛かって、一旦装着したパッキンが位置ずれしたり、外れてしまったりすることを防止できる。
【０００７】
【発明の実施の形態】
次に、本発明の種々実施形態を図１〜図１０に基づいて説明する。先ず、第１実施形態では、排水管継手の受け口に横枝管を接続する際に用いるパッキンの取付構造を例示して説明する。図１は、本実施形態に係るパッキンの取付構造を示している。図中１は排水管継手の側部に設けた横枝管接続用の受け口であり、この受け口１の内周側に略円筒形状のパッキン２が装着され、このパッキン２の内周側に横枝管３が挿入されている。図２にはこのパッキン２が単独で示されている。
さて、上記受け口１の口元端部の外周面には、先端側がより小径となる段差部１ｂが全周にわたって形成されている。又、この受け口１の内周面にも先端側がより小径となる内周段差部１ａが全周にわたって形成されている。その結果、当該受け口１の端部の断面形状は、略クランク形状をなしている。
【０００８】
パッキン２は、受け口１の口元内周に装着される円環形状をなす口元部２ａを有し、この口元部２ａの奥側端部（装着先端側）に、斜め内周側に向けて張り出す環状舌片２ｂと斜め外周側に向けて張り出す係合舌片２ｃを一体に有している。横枝管３は上記環状舌片２ｂを押し広げながら受け口１の奥部に挿入され、これにより環状舌片２ｂが接続した横枝管３の外周面に密着されてそのシール性が確保されている。又、係合舌片２ｃは、その弾性により受け口１の内周面に密着され、これにより当該パッキン２と受け口１との間のシール性が確保されている。
上記係合舌片２ｃの基部側外周面には段差部２ｈが形成されている。この段差部２ｈは、上記受け口内周側の内周段差部１ａに係合され、これにより当該パッキン２の抜け止めがなされる。この係合舌片２ｃの抜け止め作用により、例えば排水管を更新すべく受け口１から引き抜く際に、パッキン２が一緒になって受け口１から外れてしまうことを防止でき、これによりこの種の作業性を向上させることができる。
【０００９】
次に、当該パッキン２の口元部２ａの装着後端側の端部には、その全周にわたって外周側に張り出すフランジ部２ｄが形成され、このフランジ部２ｄの外周側からは折返し部２ｅが同じく全周にわたって装着先端側（図示左側）へ折返し状に一体形成されている。
当該パッキン２の装着状態において、フランジ部２ｄは受け口１の口元端面に当接され、これによりその内周側への排水管挿入時における当該パッキン２の押込みが防止される。又、折返し部２ｅはその弾性力により受け口１の段差部１ｂに押圧され、これにより口元部２ａとの間に受け口１の端部（段差部１ｂ）を弾性的に挟み込み、これによっても当該パッキン２の不用意な抜け出しが防止される。
ここで、当該パッキン２の折返し部２ｅは、受け口１の段差部１ｂに嵌まり込み状に位置し、これにより受け口１の外周面と当該折返し部２ｅの外周面がほぼ面一に揃えられている。このため、受け口１の段差部１ｂの深さは、折返し部２ｅの肉厚にほぼ等しい寸法に設定されている。
【００１０】
次に、パッキン２の口元下部にはより厚肉のマクラ部２ｆが設けられている。
このマクラ部２ｆは図２（Ａ）に示すように下部内周に沿った約９０°の範囲において内周側に若干張出し状に形成されている。このマクラ部２ｆに接続する横枝管３を載せ掛けた状態とすることにより、当該横枝管３がパッキン２に対して同心に位置保持され、これにより当該パッキン２のシール性を長期間にわたって維持できるようになっている。すなわち、このマクラ部２ｆは、接続した横枝管３をパッキン２に対して同心に位置保持できるよう各部の寸法が設定されている。なお、このマクラ部２ｆは円弧形状のものを例示したが平坦面状（円弧に対する弦）に形成してもよい。
又、フランジ部２ｄと折返し部２ｅの外面には金属製のカバー２ｇが取付けられており、このカバー２ｇにより当該パッキン２のいわゆる見え掛かり部が覆われて防火対策が施されている。
【００１１】
このように構成した第１実施形態の取付構造によれば、折返し部２ｅが受け口１の口元を挟み込んでいるのでその不用意な抜け出し及び漏水が防止されるとともに、当該パッキン２の外れ止めをなすための折返し部２ｅが、受け口１の段差部１ｂに嵌まり込んで受け口１の外周面からはみ出さないので、例えば配管施工時等において工具類等の他の物品が引っ掛かってパッキン２が位置ずれし、あるいは外れてしまうといった問題を生ずることがない。又、見た目にもよい。
なお、この段差部１ｂの高さを、折返し部２ｅの肉厚よりも大きな深さに形成することにより、当該折返し部２ｅが受け口１の外周よりもはみ出さない構成としてもよい。
【００１２】
次に、上記第１実施形態には種々変更を加えて実施することができる。例えば、図３示すように受け口の様々な形態について本発明の取付構造を適用することができる。図３（Ａ）は、口元を除いて管軸方向に内径および外径がともに変化しないストレートタイプの受け口１０を示している。図３（Ｂ）は奥部ほど内径および外径が大きくなるテーパタイプの受け口１１を示している。図３（Ｃ）は奥部ほど外径が大きくなり、内径は変化しない準テーパタイプの受け口１２を示している。いずれのタイプの受け口１０〜１２であっても、口元外周に同様の段差部１０ａ，１１ａ，１２ａを設け、又内周にも段差部１０ｂ，１１ｂ，１２ｂを設けておくことができ、外周側の段差部１０ａ，１１ａ，１２ａにパッキン２の折返し部２ｅを嵌め込んでおくことにより当該折返し部２ｅの受け口外周面からのはみ出しを抑制することができ、これにより同様の作用効果を得る。
【００１３】
又、例えば、図４に示すように受け口１３〜１５の内周側の段差部は廃止してもよい。パッキン２の折返し部２ｅの挟み込みによって、当該パッキン２の抜け止め機能を十分に発揮できる場合もあるからである。なお、図４（Ａ）は上記と同様ストレートタイプの受け口１３を示し、図４（Ｂ）はテーパタイプの受け口１４を示し、図４（Ｃ）は準テーパタイプの受け口１５を示し、１３ａ〜１５ａはそれぞれのタイプに設けた段差部を示している。
【００１４】
さらに、図５（Ａ）〜（Ｃ）に示すように受け口１６〜１８の外周面に突条１６ｂ〜１８ｂを全周にわたって形成することにより、口元外周に段差部１６ａ，１７ａ，１８ａを設ける構成としてもよい。なお、この場合も内周側の段差部を廃止することができる。又、同様に図５（Ａ）はストレートタイプの受け口１６、図５（Ｂ）はテーパタイプの受け口１７、図５（Ｃ）は準テーパタイプの受け口１８を示している。
又、図６（Ａ）〜（Ｃ）に示すように受け口１９〜２１の外周面に同じく突条１９ｂ〜２１ｂを全周にわたって形成することにより段差部１９ａ〜２１ａを設けるとともに、口元内周に沿って突条１９ｃ〜２１ｃを形成することにより内周段差部１９ｄ〜２１ｄを形成する構成としてもよい。なお、同様に図６（Ａ）はストレートタイプの受け口１９、図６（Ｂ）はテーパタイプの受け口２０、図６（Ｃ）は準テーパタイプの受け口２１を示している。
【００１５】
次に、パッキン２にマクラ部２ｆを設けた構成を例示したが、例えば図７（Ａ）に示すように同種の機能を果たすマクラ部１９ｂを受け口１９の段差部１９ａの内周側に設ける構成としてもよい。この場合、図７（Ｂ）に示すようにパッキン２０の口元部外周面に設けた凹部２０ａに上記マクラ部１９ｂが嵌まり込み、これにより当該パッキン２０の周方向の位置決めがなされる。なお、このパッキン２０にも環状舌片２０ｂおよび係合舌片２０ｃが設けられている他、フランジ部２０ｄ、折返し部２０ｅが形成され、折返し部２０ｅは受け口１９の外周面に設けた段差部１９ａに嵌まり込んで、該受け口１９の外周面とほぼ面一に揃えられている点は前記と同様である。又、受け口２０の内周面にも内周段差部１９ｃが形成され、この内周段差部１９ｃによりパッキン２０の抜け止めがなされる点についても同様である。その他、図中２０ｆは金属製カバー、３は横枝管を示している。
【００１６】
さらに、排水管継手に一体に設けた受け口の他、別体で用意する受け口にも同様に適用することができる。図８はこの別体型の受け口３０を示している。この受け口３０は取付フランジ３１を有しており、この取付フランジ３１をボルトで固定することにより管継手本体３４の所定位置に取付けられる。この受け口３０の口元端部の外周面にも同様の段差部３２が全周にわたって形成されており、図示は省略したがこの段差部３２に、パッキン（図示省略）の折返し部が嵌め込まれ、これにより当該折返し部３２の受け口３０の外周面からのはみ出しが抑制され、若しくははみ出さないようになっている。又、この受け口３０の内周面にも、内周段差部３３が形成されており、この内周段差部３３にパッキンの段差部を引き掛け状に係合させておくことによっても当該パッキンの不用意な抜けを防止できるようになっている。
【００１７】
また、排水管継手あるいは上記別体型の受け口３０をいわゆる消失模型鋳造法により製作する場合には、消失模型の段階から例示した段差部１ｂ（または１０ａ〜１９ａ、３２）を成形するための段差部を形成しておくことができる。この消失模型については図示を省略した。なお、鋳造段階で段差部を成形するのではなく、切削等の後加工により所定の段差部を形成してもよい。
【００１８】
次に、上記実施形態では、パッキンの折返し部が受け口外周面からはみ出さない場合を例示したが、本発明は必ずしもはみ出しを禁止するものではなく、以下述べるように一定の範囲でのはみ出しは許容される。すなわち、図９に示すようにパッキン４０の折返し部４０ａは受け口４２の外周面から若干はみ出していても、このはみ出しがコンクリートスラブＣの上面に干渉しないのであれば何ら問題ない。図９では、受け口４２がコンクリートスラブＣの上面に干渉して、これ以上下げることができないのに対して、パッキン４０の折返し部４０ａとコンクリートスラブＣとの間には隙間ができていることによりこのことが明確に理解される。なお、図９中、４２ａは、受け口４２の口元外周面に設けた段差部であり、４４は横枝管を示している。又、この場合のパッキン４０も、上記折返し部４０ａの他、口元部４０ｂ、フランジ部４０ｆ、環状舌片４０ｃ、係合舌片４０ｄを有している。受け口４２の内周面には同じく内周段差部４２ｂが形成され、この内周段差部４２ｂに、パッキン４０の外周面に形成した係合段差部４０ｅを引掛け状に係合させることにより、当該パッキン４０の不用意な抜け出しが防止されるようになっている。又、パッキン４０のフランジ部４０ｆと折返し部４０ａの見えかかり部には同様の金属カバー４０ｇが取付けられている。
このように、パッキンの折返し部を、受け口の外周面からはみ出さないように段差部の高さを設定する構成の他、若干はみ出しても当該排水管継手の施工上何ら支障がない（折返し部がコンクリートスラブの上面に干渉しない）のであれば、若干のはみ出しは許容され、従って、段差部４２ａの高さは必要に応じて設定すればよい。
【００１９】
最後に、例示した各実施形態では、排水管継手の受け口に横枝管を接続する際に用いるパッキンの取付構造を例示して説明したが、本発明は、例えば排水横枝管同士の接続、排水立て管同士の接続、給水管の接続等あらゆる管の接続に広く適用することができる。
例えば、図１０には、ほぼ直管形状の管継手４５に当該パッキンの取付構造を適用した場合が例示されている。この形態の管継手４５は、その両端が管接続用の受け口とされ、取付用のフランジ部を有しないノンハブパイプＰ，Ｐを一直線に接続する場合に用いられる。この管継手４５の両受け口は、前記例示した形態と同様外周側と内周側にそれぞれ段差部４５ａ、４５ｂを形成してなる略クランク形状に形成されている。外周側の段差部４５ａ，４５ａには、それぞれパッキン４６の折返し部４６ａが嵌め込まれてそのはみ出しが抑制され、内周側の段差部４５ｂ，４５ｂにはそれぞれパッキン４６の段差部が引掛け状に係合され、これにより当該パッキン４６の不用意な抜け出しが防止されるようになっている。又、当該管継手４５の管軸方向ほぼ中央の内周面にはリブ４５ｃが形成されている。このリブ４５ｃは、接続するノンハブパイプＰ，Ｐの挿入量を規制するためのストッパとして機能する。
このような形態の管継手４５に本発明に係るパッキンの取付構造を適用することによっても前記と同様の作用効果を得ることができる。又、この種の管継手４５の受け口は、特に仕上げ処理がなされない場合があり、このために切断時のバリ等がそのまま残されている場合がある。この場合に、上記パッキンの取付構造を適用することによりバリ等がカバーされるので、その見栄えがよくなって商品価値が高まるばかりか、指先等に怪我をしたりすることもなくなるのでその取扱い性がよくなる。
【図面の簡単な説明】
【図１】本発明の一実施形態を示す図であり、パッキンを装着し、かつ横枝管を接続した排水管継手の受け口の縦断面図である。
【図２】パッキン単体の図であって、（Ａ）は正面図、（Ｂ）は（Ａ）の（Ｂ）−（Ｂ）線断面図である。なお、（Ｂ）では金属製カバーが省略されている。
【図３】別形態の受け口の縦断面図であり、（Ａ）はストレートタイプ、（Ｂ）はテーパタイプ、（Ｃ）は準テーパタイプを示す。
【図４】内周側の段差部を廃止した受け口の縦断面図であり、（Ａ）はストレートタイプ、（Ｂ）はテーパタイプ、（Ｃ）は準テーパタイプを示す。
【図５】外周側に突条を設けることにより外周側の段差部を設けた受け口の縦断面図であり、（Ａ）はストレートタイプ、（Ｂ）はテーパタイプ、（Ｃ）は準テーパタイプを示す。
【図６】外周及び内周の双方に突条を設けて段差部を設けた受け口の縦断面図であり、（Ａ）はストレートタイプ、（Ｂ）はテーパタイプ、（Ｃ）は準テーパタイプを示す。
【図７】受け口側にマクラ部を設けた例を示す図であって、（Ａ）は受け口単体の縦断面図、（Ｂ）はパッキン２０を装着し、横枝管３を接続した状態の受け口１９の縦断面図である。
【図８】別体型の受け口の一部断面側面図である。
【図９】パッキンの折返し部が受け口外周面から若干はみ出し状態を示す図であり、パッキンを装着し、横枝管を接続した受け口の縦断面図である。
【図１０】本発明の別態様の実施形態を示す図であり、直管タイプの管継手の縦断面図である。
【図１１】排水管継手の施工例を示す側面図である。
【図１２】従来のパッキンの取付構造を示す図であり、図１１の（１２）部の拡大図である。
【符号の説明】
１…受け口（一体型）
１ｂ…段差部（外周側）
２…パッキン
２ｄ…フランジ部、２ｅ…折返し部
３…横枝管
１０〜２１…別形態の受け口
１０ａ〜２１ａ…段差部（外周側）
１６ｂ〜２１ｂ、１９ｃ〜２１ｃ…突条
２０…パッキン
２０ａ…凹部、２０ｄ…フランジ部、２０ｅ…折返し部
３０…別体型受け口
Ｃ…コンクリートスラブ
【図１】
0003942710.tif 000002
【図２】
0003942710.tif 000003
【図３】
0003942710.tif 000004
【図４】
0003942710.tif 000005
【図５】
0003942710.tif 000006
【図６】
0003942710.tif 000007
【図７】
0003942710.tif 000008
【図８】
0003942710.tif 000009
【図９】
0003942710.tif 000010
【図１０】
0003942710.tif 000011
【図１１】
0003942710.tif 000012
【図１２】
0003942710.tif 000013